(57)【特許請求の範囲】
【請求項１】
ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に内外を連通する通孔を設けたフロート受けを固定し、フロート受け内にフロートを自由状態で配し、フロート受けの上端をその上方の弁ケーシングから離間させて配置してフロート受けの上端とその上方の弁ケーシングとの間にフロート受けの内外を連通する連通路を設け、フロート受けの上端の一部をフロート受けの上端の他部よりも低く形成したことを特徴とする排気弁。
【発明の詳細な説明】
【技術分野】
【０００１】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に関する。
【背景技術】
【０００２】
従来の排気弁は、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に内外を連通する通孔を設けたフロート受けを固定し、フロート受け内にフロートを自由状態で配し、降下位置にあるフロートの上端とほぼ同じ高さにフロート受けの上端を位置させ、フロート受けの上端とその上方の弁ケーシングとの間に連通路を設けたものである。この排気弁は、先ず配管に水を送り込むときにはフロートが弁座から離座して降下した開弁状態であり、流入口から弁室内に流入してくる配管内の空気をリブの間の空間から連通路を通して及び通孔からフロート受け内を通して流出口に排気する。そして排気が終わって配管内の水が流入口から弁室内に流入してくると、リブの間の空間から連通路を通して及び通孔を通してフロート受け内に流入する水によってフロートが浮上して弁座に着座し閉弁する。また配管系の圧力が低下して真空状態となったときにはフロートが弁座から離座して降下し、流出口から弁室内に流入してくる外部空気をフロート受け内から通孔を通して及び連通路からリブの間の空間を通して流入口から配管内に導入することにより真空状態を破壊する。
【０００３】
上記従来の排気弁は、水が流入口から弁室内に急激に流入してくると、フロートの浮上が遅れて流出口から漏水してしまう問題点があった。これは、水が急激に流入してくると、連通路を通過した空気の一部が弁室の上壁に衝突して跳ね返りフロートを下方に付勢するためである。
【特許文献１】実公昭５１−５４２６３号公報
【発明の開示】
【発明が解決しようとする課題】
【０００４】
従って本発明の技術的課題は、水が流入口から弁室内に急激に流入してきても、漏水を生じない排気弁を提供することである。
【課題を解決するための手段】
【０００５】
上記の技術的課題を解決するために講じた本発明の技術的手段は、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に内外を連通する通孔を設けたフロート受けを固定し、フロート受け内にフロートを自由状態で配し、フロート受けの上端をその上方の弁ケーシングから離間させて配置してフロート受けの上端とその上方の弁ケーシングとの間にフロート受けの内外を連通する連通路を設け、フロート受けの上端の一部をフロート受けの上端の他部よりも低く形成したことを特徴とするものである。
【発明の効果】
【０００６】
本発明は、フロート受けの上端をその上方の弁ケーシングから離間させて配置してフロート受けの上端とその上方の弁ケーシングとの間にフロート受けの内外を連通する連通路を設け、フロート受けの上端の一部をフロート受けの上端の他部よりも低く形成したことにより、水が流入口から弁室内に急激に流入してきても、フロートを下方に付勢する力を弱めることができるので、漏水を生じないという優れた効果を生じる。
【発明を実施するための最良の形態】
【０００７】
本発明は、フロート受けの上端をその上方の弁ケーシングから離間させて配置してフロート受けの上端とその上方の弁ケーシングとの間にフロート受けの内外を連通する連通路を設け、フロート受けの上端の一部をフロート受けの上端の他部よりも低く形成したものであるので、リブの間の空間から連通路を通してフロート受け内に流入する水の一部を低位からフロート受け内に流入させることができる。そのため、水が流入口から弁室内に急激に流入してきても、弁室の上壁に衝突して跳ね返りフロートを下方に付勢する水を少なくすることができる。そのため、フロートを下方に付勢する力を弱めることができ、漏水を生じることがない。
【実施例１】
【０００８】
上記の技術的手段の具体例を示す実施例を説明する（図１参照）。本体１に蓋２をボルト３で締結して内部に弁室４を有するケーシングを形成し、蓋２に流出管５をねじ結合する。本体１の下部に流入口６を形成し、蓋２に流出口７を形成する。蓋２に弁座８を間に挟んで環状の取付部材９を４つのネジ１０で固定する。本体１は弁室４の内壁に内側に突出した４つのリブ１１を一体に有し、リブ１１の内側に有底のほぼ円筒形状のフロート受け１２をスナップリング１３で固定する。フロート受け１２内に球形のフロート１４を自由状態で配置する。
【０００９】
フロート受け１２は底部に内外を連通する通孔１５を有する。フロート受け１２は上端をその上方の蓋２から離間させて配置することにより、上端とその上方の蓋２との間に内外を連通する連通路１６を設ける。フロート受け１２は上端の一部１２ｂを降下位置にあるフロート１４の中心よりも少し上方に形成し、上端の他部１２ａを降下位置にあるフロート１４の上端とほぼ同じ高さに形成することにより、上端の一部１２ｂを上端の他部１２ａよりも低く形成する。
【００１０】
上記実施例の排気弁の動作は下記の通りである。先ず配管に水を送り込むときにはフロート１４は弁座８から離座して降下しフロート受け１２の底壁に載った開弁状態である。これにより、弁室４内に流入してくる配管内の空気をリブ１１の間の空間から連通路１６を通して及び通孔１５からフロート受け１２内を通して流出口７に排気する。そして排気が終わって配管内の水が流入口６から弁室４内に流入してくると、リブ１１の間の空間から連通路１６を通して及び通孔１５を通してフロート受け１２内に流入する水によってフロート１４が浮上して弁座８に着座し閉弁する。これにより、漏水を防止する。
【００１１】
配管内の水が流入口６から弁室４内に急激に流入してきても、リブ１１の間の空間から連通路１６を通してフロート受け１２内に流入する水の一部が低位からフロート受け１２内に流入する。そのため、弁室４の上壁に衝突して跳ね返りフロート１４を下方に付勢する水が少なくなり、フロート１４を下方に付勢する力を弱めることができので、漏水を生じることがない。配管系の圧力が低下して真空状態となったときにはフロート１４が弁座８から離座して降下しフロート受け１２の底壁に載った開弁状態となる。これにより、弁室４内に流入してくる外部空気を連通路１６からリブ１１の間の空間を通して及びフロート受け１２内から通孔１３を通して流入口６から配管内に導入することにより真空状態を破壊する。
【図面の簡単な説明】
【００１２】
【図１】本発明の実施例の排気弁の断面図。
【符号の説明】
【００１３】
１  本体
２  蓋
４  弁室
５  流出管
６  流入口
７  流出口
８  弁座
９  取付部材
１１  リブ
１２  フロート受け
１４  フロート
１５  通孔
１６  連通路
【図１】
0004781787.tif 000002